(57)【特許請求の範囲】
【請求項１】
家具等の被免震物が取付くベースと、前記ベースと床とが水平方向に相対動することを許容するためにベースに取付けた複数個のキャスターと、前記ベースを床に対して相対動不能に保持するロック手段と、地震の揺れを感知して前記ロック手段によるロックを解除させるために前記ベースに設けたトリガー手段とを備えており、
前記ロック手段は、キャスターと干渉せずかつベースからはみ出ない状態で床にずれ不能に保持された固定板と、前記ベースに設けた可動式ロック部材とを備えており、固定板に設けた係合部にロック部材が嵌まることによってベースがロックされるように構成されている免震装置であって、
前記トリガー手段は、地震によって水平状の軸心回りに揺れる振り子と、振り子の揺れによって回動する揺動板と、前記揺動板の近傍において平面視で一定方向に往復動し得る作動体と、前記作動体が一方向に動くと前記可動式ロック体が係合部から離脱するように作動体とロック体とに接続した紐状体とを備えており、前記作動体は紐状体を引っ張る方向にばねで付勢されており、更に、前記揺動板には、前記作動体をばねに抗して移動した位置に保持するトリガー爪が形成されており、振り子の揺れで揺動板が回動するとトリガー爪が作動体から離脱するように設定されている、
免震装置。
【発明の詳細な説明】
【０００１】
【発明の属する技術分野】
本発明は、キャビネット等の家具類や商品陳列ケースなど、様々の物品類や装置類、設備類に使用できる免震装置に関するものである。
【０００２】
【従来の技術】
キャビネット等の家具類の免震装置には様々のものがあり、一般に、床に固定される下ベースと、家具等の被免震物が取付く上ベースと、上下ベースの相対動を許容するためのボールやコロ等の転動体とを備えている。
【０００３】
他方、実開昭５９−１８９２７３号公報や特許第３０５６６８８号公報には、棚や箱状家具を免震するための手段としてキャスターを使用することが記載されている。これら両公報の構成では、市販のキャスターを使用できることと、下ベースが不要になることとにより、免震構造の簡単化とコストダウンとを図ることができる。
【０００４】
【発明が解決しようとする課題】
ところで、キャビネットのように引き出しや扉を設けている家具の場合、それら引き出しや扉の動きでキャビネットに衝撃が作用するため、単にキャスターを取付けただけでは使用しているうちにキャビネットが移動してしまうという問題があった。
【０００５】
すなわち、キャビネットのように使用状態で衝撃がかかる家具類の免震には、前記両公報の構成はそのままでは適用し難いのであった。
【０００６】
本願発明は、このような現状を改善することを課題とするものである。
【０００７】
【課題を解決するための手段】
本願発明の免震装置は、家具等の被免震物が取付くベースと、前記ベースと床とが水平方向に相対動することを許容するためにベースに取付けた複数個のキャスターと、前記ベースを床に対して相対動不能に保持するロック手段と、地震の揺れを感知して前記ロック手段によるロックを解除させるために前記ベースに設けたトリガー手段とを備えている。そして、前記ロック手段は、キャスターと干渉せずかつベースからはみ出ない状態で床にずれ不能に保持された固定板と、前記ベースに設けた可動式ロック部材とを備えており、固定板に設けた係合部にロック部材が嵌まることによってベースがロックされるように構成されている。
【０００８】
他方、前記トリガー手段は、地震によって水平状の軸心回りに揺れる振り子と、振り子の揺れによって回動する揺動板と、前記揺動板の近傍において平面視で一定方向に往復動し得る作動体と、前記作動体が一方向に動くと前記可動式ロック体が係合部から離脱するように作動体とロック体とに接続した紐状体とを備えており、前記作動体は紐状体を引っ張る方向にばねで付勢されており、更に、前記揺動板には、前記作動体をばねに抗して移動した位置に保持するトリガー爪が形成されており、振り子の揺れで揺動板が回動するとトリガー爪が作動体から離脱するように設定されている。
【００１２】
【発明の作用・効果】
本願発明によると、キャスターによって免震するものでありながら、平常時には被免震物を移動不能に保持し、地震のときだけロックを解除して免震状態に切り換えることができる。
【００１３】
したがって、平常時に被免震物がずれ動くという問題を生じることなく、キャスターを使用することによる構造の簡単化やコストダウンを図ることができる。このため、キャビネットのよにう引き出しや扉を備えた家具のように、使用状態で衝撃が作用する家具類の免震装置として特に好適である。
【００１４】
請求項２のように構成すると、ロック手段とトリガー手段とを別々の構造としているため、ロック機能とトリガー機能とを的確に発揮させることができる。
【００１５】
しかも、トリガー手段の作動体とロック手段のロック部材との取付け位置に誤差があっても、紐状体の長さを調節したり紐状体にたわみを持たせたりすることにより、それら誤差を簡単に吸収することができる。従って、免震装置の設置作業の手間を軽減することができる。また、固定板はベースからはみ出ていないため、人が固定板につまずくような不具合もない。
【００１６】
固定板を両面粘着テープ又は摩擦板で床にずれ不能に固定すると、アンカーなどのファスナーなしで固定板を床に設置できるため、免震装置の設置作業をいっそう簡単にできると共に、床が傷つくことも防止できる。
【００１７】
この場合、一般には、床がフローリングやタイル張りのような平滑面である場合は両面粘着テープで固定し、床がカーペットのように摩擦の大きい素材からなっている場合はゴム等の摩擦板を介して設置することになる。固定板の一方の面には摩擦板を予め接着しておき、他方の面には両面テープを予め接着しておくと、床の素材に応じて設置態様を選択できるので、より好適である。
【００１８】
【発明の実施形態】
次に、本発明の実施形態を図面に基づいて説明する。
【００１９】
(1).第１実施形態（図１〜図11）
図１〜図１１では第１実施形態を示しており、このうち図１の斜視図で免震装置１の大雑把な外観を示している。キャビネット２は仮想線で表示している。図では省略しているが、キャビネット２は複数段の抽斗（及び／又は水平回動式の扉）を備えている。
【００２０】
(2).概要
免震装置１は、断面コ状の型鋼で平面視四角形に形成したベース３と、床に配置した固定板４とを備えており、ベース３の四隅に、床面を転動するキャスター５が取付けられている。
【００２１】
ベース３の左右中間部には、当該ベース３を横断するように延びるセンターフレーム６を設けており、このセンターフレーム６にトリガー手段７を設け、ベース３の後部にロック手段８を設けている。なお、キャビネット２はベース３にねじで固定されている。
【００２２】
図２はベース３のコーナー部の平面図、図３は図２の III-III視断面図である。これらの図に示すように、ベース３の左右側部には補強フレーム９が固定されており、この補強フレーム９の前後両端部にキャスター５をナット１０で取付けている。これらキャスター５が床Ｆを転動することによってキャビネット２を免震できる。
【００２３】
本実施形態では、キャスター５は、取付けボルト１１を中心にして水平旋回するものを使用している。
【００２４】
以下、図４以下の図面を参照してトリガー手段７とロック手段８の詳細を説明する。
【００２５】
図４は分離斜視図、図５はトリガー手段７の平面図、図６（Ａ）は図５のVIA-VIA 視断面図、図６（Ｂ）は図５のVIB-VIB 視断面図、図７（Ａ）は図５のVIIA-VIIA 視断面図、図７（Ｂ）は図５のVIIB-VIIB 視断面図、図８は図５の VIII-VIII視断面図、図９は部分的な斜視図、図１０は動きを説明するための斜視図、図１１のうち（Ａ）は図５の XI-XI断面図、（Ｂ）のロック解除状態を示す図である。
【００２６】
(3).トリガー手段
例えば図４に示すように、トリガー手段７は、上向き開口樋状のケース１２と、前後を細巾状に形成した連動板１３と、第１軸１４に吊り下げられた振り子１５と、第２軸１６に吊り下げられた揺動板１７と、連動板１３を前進方向に付勢するばね１８と、連動板１３に重なった操作軸１９とを備えている。
【００２７】
第１軸１４と第２軸１６は、ケース１２の仕切り板２０と後面板２１とに形成した上向き開口の切り開き穴２２に嵌め入れられている。また、例えば図４に示すように、ケース１２のうち振り子１５を配置した部分は樋状に形成されており、カバー２３が被さっている。
【００２８】
そして、図８や図１０に示すように、第１軸１４と第２軸１６は、カバー２３に切り起こし形成した押さえ板２４によって上向き移動不能に保持されている。
【００２９】
図４や図６に示すように、センターフレーム６は上向きに開口しており、これにケース１２を嵌め込んで固定している。センターフレーム６における一方の側板６ａはケース１２よりも高い高さになっており、これに外向きのフランジ６ｂを形成している。
【００３０】
例えば図１０に示すように、連動板１３のうちケース１２に入り込んだ後部には、トリガー穴２５を形成している。他方、揺動板１７には、トリガー穴２５に引っ掛かり係合するトリガー爪２６を切り起こし形成している。トリガー爪２６がトリガー穴２５に嵌まっていることにより、連動板１３はばね１８に抗して前進不能に保持されている。
【００３１】
図４及び図６（Ａ）に示すように、連動板１３の広幅部のうちばね１８と反対側の部位にはブラケット２７を固着しており、このブラケット２７に、ケース１２の内側面に当たるスライダー２８を設けている。これは、連動板１３の前後動をスムースに行うためである。
【００３２】
前記操作軸１９の前端はベース３から前方に突出して、その前端に撮み２９を取付けている。撮み２９は操作軸１９に相対動不能に取付けており、従って、撮み２９をつまんで操作軸１９を回転させることができる。
【００３３】
図４及び図６（Ａ）に示すように、前記スライダー２８が取付いたブラケット２７に設けた折り曲げ片２７ａに、操作軸１９が嵌まる横向きＵ字状の切り開き溝３０を形成している。
【００３４】
図面では詳細は示していないが、操作軸１９には、嵌合溝３０の内周縁に嵌まる環状溝を形成している。従って、操作軸１９と連動板１３とは一体に前後動することができ、かつ、操作軸１９は独自に回転させることができる。
【００３５】
地震によって振り子１５が振れると揺動板１７が回動し、これにより、トリガー爪２６が連動板１３のトリガー穴２５から外れて、ロックが解除されて。すると、連動板１３はばね１８によって前進動する。
【００３６】
操作軸１９の後部は仕切り板２０を貫通して振り子１５の方向まで延びており、その後端には、下向き鉤部１９ａを折曲げ形成している。操作軸１９を図１０に矢印ｂで示すように反時計回りに回転させると、揺動板１７の下端が操作軸１９の鉤部１９ａによって押され、これにより、揺動板１７が回動してトリガー爪２６がトリガー穴２５から離脱し、ロック解除状態になる。
【００３７】
図４や図１０に示すように、操作軸１９のうち連動板１３の広巾部に重なった部位には、上向きの突部１９ｂを曲げ形成している。これは、操作軸１９の姿勢を保持するためである。突部１９ｂは上向きであるため、時計回り方向には回転させることができる。
【００３８】
連動板１３のうちの適当な部分の上端には、平面視で当該連動板１３と直交した方向に延びる板状（棒状などでも良い）の作動杆３２を一体に固着している。従って、作動杆３２は連動板１３と一緒に前進動する。本実施形態では、連動板１３と作動杆３２とが請求項に記載した作動体を構成している。
【００３９】
図９に明瞭に示すように、作動杆３２の前進動を許容するため、センターフレーム６の側板には切欠き３３を形成している。
【００４０】
作動杆３２の両端には、強靱なテグスやナイロン紐、或いはワイヤー、ピアノ線のような紐状体３４の一端を接続している。
【００４１】
(4).ロック手段
図４や図１１に示すように、紐状体３４の他端は、ロック部材の一例としてのロックピン３５に接続されている。
【００４２】
ロックピン３５は、ベース３の内側面に固着したブラケット３６に上下摺動自在に嵌まっており、かつ、ベース３には、ロックピン３５が真上に引き上げられるように紐状体３４をガイドするガイドブラケット３７を設けている。
【００４３】
前記固定板４には、係合部の一例として、ロックピン３５が嵌まる係合穴３８を空けている。図９に示すように、固定板４の適当な範囲（例えば左右両側部）の一方の面には両面粘着テープ３９を貼着し、他方の面にはゴム板等の摩擦板４０を貼着している。
【００４４】
本実施形態では、床Ｆが平滑面であることから、両面粘着テープ３９で固定板４を床にずれ不能に保持している。なお、固定板４はビス状のアンカーで床に固定しても良い。
【００４５】
図面では紐状体３４はピンと張った状態に描いているが、実際には多少の弛みを持たせても構わない（作動体３２のストロークよりも、ロックピン３５と係合穴３８との嵌合寸法は遙かに小さいので、紐状体３４に弛みがあっても、確実にロック解除することができる）。
【００４６】
(5).動作
以上の説明から既に理解できるように、平常時には、右のロックピン３５が固定板４の係合穴３８に嵌まっているため、ベース３及びキャビネット２は水平動不能に保持されている。
【００４７】
そして、ある程度の揺れの地震が起きると、振り子１５の揺動エネルギーによって揺動板１７が回動し、連動板１３と操作軸１９とが前進する。そして、図１１（Ｂ）に示すように、紐状体３４を介してロックピン３５が上向きに引き上げられることにより、ロックが解除される。すると、ベース３及びキャビネット２と床Ｆとは、キャスター５を介して相対動する。すなわち、免震される。
【００４８】
なお、本実施形態では２本のロックピン３５を使用したが、３本以上のロックピン３５を使用しても良い。また、ロックピン３５は、幅広の板状に形成すれば１本だけでも良い（板状であると、キャビネット２に対する外力によってベース３が水平旋回することを防止できる）。
【００４９】
(6).他の実施形態（図12〜図14）
図１２以下では他の実施形態を示している。
【００５０】
このうち図１２に示す第２実施形態は、第１実施形態の変形例であり、ベース３に、紐状体３４によるロックピン３５の引き上げを円滑にするためのローラ（プーリ）４１を設けている。また、ブラケット３６にはロックピン３５の上下動を円滑にするめたのブッシュ４２を設け、固定板４には、ロックピン３５の係合を確実ならしめするための円筒部４３をバーリング等によって形成している。
【００６０】
図１３に示す第３実施形態では、キャスター５として非旋回式のものを使用している。例えば、複数のキャビネットを左右方向に多数並設した場合のように、被免震物の免震方向が一定方向に決まっている場合は、このような非旋回式のキャスター５も使用することができる。
【図面の簡単な説明】
【図１】第１実施形態に係る免震装置の斜視図である。
【図２】免震装置のコーナー部の平面図である。
【図３】図２の III-III視断面図である。
【図４】トリガー手段の分離斜視図である。
【図５】トリガー手段の平面図である。
【図６】 (A)は図５の VIA-VIA視断面図、 (B)は図５の VIB-VIB視断面図である。
【図７】 (A)は図５のVIIA-VIIA 視断面図、 (B)は図５のVIIB-VIIB 視断面図である。
【図８】図５の VIII-VIII視断面図である。
【図９】トリガー手段の部分的な斜視図である。
【図10】トリガー手段の斜視図である。
【図11】 (A)は図５の XI-XI視断面図、 (B)はロック解除状態の断面図である。
【図12】第２実施形態の断面図である。
【図13】第３実施形態の断面図である。
【符号の説明】
１  免震装置
２  キャビネット
３  ベース
４  固定板
５  キャスター
６  センターフレーム
７  トリガー手段
８  ロック手段
１２  ケース
１３  作動体を構成する連動板
１５  振り子
１７  揺動板
１８  ばね
１９  操作軸
２５  トリガー穴
２６  トリガー爪
３２  作動体を構成する作動杆
３４  紐状体
３５  ロックピン
３８  係合穴
３９  両面粘着テープ
【図１】
0003776736.tif 000002
【図２】
0003776736.tif 000003
【図３】
0003776736.tif 000004
【図４】
0003776736.tif 000005
【図５】
0003776736.tif 000006
【図６】
0003776736.tif 000007
【図７】
0003776736.tif 000008
【図８】
0003776736.tif 000009
【図９】
0003776736.tif 000010
【図１０】
0003776736.tif 000011
【図１１】
0003776736.tif 000012
【図１２】
0003776736.tif 000013
【図１３】
0003776736.tif 000014